(57)【要約】【課題】塵埃等が入り込みにくいだけでなく、構成部材点数を少なくして組立て後の調整も不要にしたスイッチ構造の提供。【解決手段】支軸１５を介してケース２１側に支持される操作プレート１１と、ケース２１側との間で操作プレート１１の支軸１５の昇降軸受け３８を形成してケース２１側に固定される支持ボックス５１と、該支持ボックス５１とケース２１側との間に形成される軸受け３７に軸支される支軸４４と圧接部４６とを備えて操作プレート１１の押圧力を受けるプレート本体部４２と、該プレート本体部４２の支軸４４近傍から延設された前傾可撓腕部４８とを有する介在プレート４１と、該介在プレート４１が押圧力を受けて前傾可撓腕部４８の反発力に抗して従動する圧接部４６から受ける圧接力により電路が閉成されるスイッチ６２を備えるプリント回路板６１とで少なくとも構成した。【選択図】図１
2010073332.tif 000002
【特許請求の範囲】
【請求項１】
一端側を開放端とし、その他端側に備える一対の支軸を介してケース側に上下動可能に支持される操作プレートと、
前記ケース側との間で操作プレートの前記支軸の昇降軸受けを形成して前記ケース側に固定される支持ボックスと、
該支持ボックスと前記ケース側との間に形成される軸受けに軸支される一対の支軸をその一端側に、垂設された圧接部を他端側にそれぞれ備えて前記操作プレートの他端側からの押圧力を受けるプレート本体部と、該プレート本体部の前記各支軸の近傍位置からそれぞれの開放端部が前記支持ボックスの底面と当接するように延設された一対の前傾可撓腕部とを有する介在プレートと、
該介在プレートが前記操作プレートからの押圧力を受けて前記前傾可撓腕部の反発力に抗して従動する前記圧接部が生成する圧力により電路が閉成されるスイッチを備えて前記ケース側に位置固定されるプリント回路板とで少なくとも構成したことを特徴とするスイッチ構造。
【請求項２】
前記操作プレートには、前記支軸を介して略９０度以上開方向に回動させた際に前記介在プレートを押し下げて前記圧接部による前記スイッチへの加圧状態の維持を可能とする押圧片部を具備させた請求項１に記載のスイッチ構造。
【発明の詳細な説明】
【技術分野】
【０００１】
本発明は、絶縁抵抗計などの測定器に組み込まれて使用されるスイッチ構造に関する技術である。
【背景技術】
【０００２】
絶縁抵抗計などの測定器は、通常、測定開始時にスイッチをオンとしたり、測定終了時にスイッチをオフとするためのスイッチ構造を備えている。
【０００３】
図６は、下記特許文献１の第５図に部分断面図として示されているスイッチ構造を再掲して示す説明図である。
【特許文献１】実開平４−７２５２６号公報
【０００４】
同図によれば、ハウジング１は、上ケース部２と図示しない下ケース部とで構成されている。操作プレート３は、その左右両側に一体に形成された一対の支軸３ａを備え、上ケース部２側に設けられている逆Ｕ字形の溝（図示せず）に摺動可能に軸支されている。
【０００５】
また、操作プレート３は、その奥端４側がスイッチプレート７と対向するカム５として形成されており、始端６側が上ケース部２の一部を覆うように略Ｌ字形に形成されている。
【０００６】
スイッチプレート７は、その奥端側が引張コイルスプリングＳの付勢力により常時押し上げられており、操作プレート３の奥端４側を矢印方向に押し下げ操作することにより、上ケース部２との接触部８を支点として強制的に押し下げられる。
【０００７】
スイッチプレート７は、引張コイルスプリングＳの付勢力に抗して押し下げられることにより、上ケース部２側に固定されているスイッチ９の加圧接点９ａを押圧してオンとすることで、測定器が測定可能な状態になる。
【０００８】
また、操作プレート３は、このようなスイッチオン状態のもとで始端６側を持ち上げて矢印方向に９０度以上回転させることにより、支軸３ａを支点に回転し、カム５によりスイッチプレート７が押し下げられて接点９ａへの押圧状態が維持され、連続測定が可能な状態におくことができる。
【発明の開示】
【発明が解決しようとする課題】
【０００９】
しかし、図６に示すスイッチ構造による場合には、上ケース部２と操作プレート３との間から雨滴などの水液や塵埃が入り込みやすく、屋外での現場作業には不向きであるという不都合があった。
【００１０】
また、図６に示すスイッチ構造は、構成部材の点数や使用するねじの数が多くなるなどして、製品コストを押し上げる不具合もあった。
【００１１】
さらに、図６に示すスイッチ構造による場合には、操作パネル３のカム５とスイッチ９との間の位置公差が大きいことから、組み立てた後に調整作業が必要になる問題もあった。
【００１２】
本発明は、従来技術の上記課題に鑑み、水液や塵埃を入り込みずらくするなかで、構成部材の点数を少なくして組み立て後の調整も不要にできるスイッチ構造を提供することに目的がある。
【課題を解決するための手段】
【００１３】
本発明は、上記目的を達成すべくなされたものであり、一端側を開放端とし、その他端側に備える一対の支軸を介してケース側に上下動可能に支持される操作プレートと、前記ケース側との間で操作プレートの前記支軸の昇降軸受けを形成して前記ケース側に固定される支持ボックスと、該支持ボックスと前記ケース側との間に形成される軸受けに軸支される一対の支軸をその一端側に、垂設された圧接部を他端側にそれぞれ備えて前記操作プレートの他端側からの押圧力を受けるプレート本体部と、該プレート本体部の前記各支軸の近傍位置からそれぞれの開放端部が前記支持ボックスの底面と当接するように延設された一対の前傾可撓腕部とを有する介在プレートと、該介在プレートが前記操作プレートからの押圧力を受けて前記前傾可撓腕部の反発力に抗して従動する前記圧接部が生成する圧力により電路が閉成されるスイッチを備えて前記ケース側に位置固定されるプリント回路板とで少なくとも構成したことを最も主要な特徴とする。
【００１４】
この場合、前記操作プレートには、前記支軸を介して略９０度以上開方向に回動させた際に前記介在プレートを押し下げて前記圧接部による前記スイッチへの加圧状態の維持を可能とする押圧片部を具備させておくのが好ましい。
【発明の効果】
【００１５】
請求項１に係る発明によれば、操作プレートと介在プレートとを上側ケース部と支持ボックスとを介して配置することで、プリント回路板側への雨滴などの水液や塵埃の入り込みを効果的に阻止することができるので、屋外での現場作業に好適に用いることができる。また、その全体は、引張コイルスプリングなどを組み込むことなく、その構成部材の点数を少なくして形成することができるので、製品コストをそれだけ低く抑えることができる。さらに、操作プレートに設けた押圧片部と介在プレートが備える前傾可撓腕部が生成する反発力との間の相対的な力関係のもとでプリント回路板が備えるスイッチを簡単にオン・オフすることができるので、組み立てた後の調整作業を不要にして作業性の向上を図ることができる。
【００１６】
請求項２に係る発明によれば、操作プレートを端に略９０度開方向に回動させるだけでスイッチオン状態を持続させることができるので、測定時間がある程度長くなる場合であっても、柔軟に対応させることができる。
【発明を実施するための最良の形態】
【００１７】
図１は、本発明の一例をその一部を省略して示す分解斜視図であり、図２は、組立て後の一部を切り開いた側面構造の説明図を、図３は、組立て後の部分的な縦断面構造の説明図をそれぞれ示す。
【００１８】
これらの図によれば、ケース２１を構成している上側ケース部２２側に上下動可能に支持される操作プレート１１と、圧接部４６を備えるプレート本体部４２と一対の前傾可撓腕部４８，４８とを有する介在プレート４１と、上側ケース部２２側に固定される支持ボックス５１と、スイッチ６２を備えて上側ケース部２２と下側ケースとに挟持されてケース２１側に位置固定されるプリント回路板６１とでスイッチ構造の全体が形成されている。
【００１９】
これらのうち、操作プレート１１は、一端１２側を開放端１３とし、その他端１４側に位置する左右両側に一対の支軸１５を設けて形成されている。また、操作プレート１１には、支軸１５を介して略９０度以上開方向に回動させた際に介在プレート４１を押し下げて圧接部４６によるスイッチ６２への加圧状態の維持を可能とする押圧片部１６が形成されている。
【００２０】
この場合、該押圧片部１６は、操作プレート１１の他端１４側の長さ方向から下方に円曲させて延設されたカール部１７と、該カール部１７の左右の開放端側を塞ぐように垂設された側壁部１８とで形成されている。因みに、図示例における各支軸１５は、各側壁部１８の略中央位置からその面方向と直交する方向に向けて突設されている。
【００２１】
ケース２１は、例えば測定器における筐体構造のもとでその全体が形成されており、図示例には、その要部を部分的に取り出して示されているものの、その全体は上側ケース部２２と図示しない下側ケース部とで構成されている。
【００２２】
すなわち、上側ケース部２２は、その上面に操作プレート１１の面サイズよりもやや大きな開口面サイズを有する凹陥部２３が、左右の側壁部２４と底壁部２５とに仕切られ、かつ、一端２２ａ側が開放された状態のもとで形成されている。
【００２３】
また、各側壁部２４は、操作プレート１１が水平方向を面方向として載置される段部２６をその一端寄りに備え、他端寄りに該段部２６と連続させることで操作プレート１１の押し込みを許容する前傾斜面部２７を備えている。
【００２４】
さらに、上側ケース部２２には、その一端２２ａ寄りの各側壁部２４に下面を開口させて介在プレート４１側を回動可能に支持する短寸溝２８が、他端２２ｂ側の各側壁部２４に下面を開口させて操作プレート１１側を上下動および回動を可能に支持する縦方向に長い長寸溝２９がそれぞれ各別に形成されている。
【００２５】
しかも、上側ケース部２２は、その底壁部２５の略中央に介在プレート４１を目視確認するための円孔３２が、該円孔３２の近傍に位置する他端２２ｂ側に略方形を呈する窓孔３３がそれぞれ形成されている。なお、図中の符号３５は、支持ボックス５１の一端５２ａ側に掛止させるための一端側掛止爪を、３６は、支持ボックス５１の他端５２ｂ側に掛止させるための一対の他端側掛止爪をそれぞれ示し、これらを掛止させることにより支持ボックス５１を上側ケース部２２側に一体的に取り付けることができるようになっている。
【００２６】
介在プレート４１は、支持ボックス５１と上側ケース２２の短寸溝２８との間に形成される軸受け３７に軸支される一対の支軸４４，４４をその一端４３側に、垂設された圧接部４６を他端４５側にそれぞれ備えて操作プレート１１の他端１４側からの押圧力を受けるプレート本体部４２と、該プレート本体部４２の各支軸４４の近傍位置からそれぞれの開放端側に位置する当接部４９が支持ボックス５１の底板部５２の深底部５２ｂ側と当接するように延設された一対の前傾可撓腕部４８，４８とを有して形成されている。なお、図中の符号４７は、プレート本体部４２の下表面側から略斜切円柱状に突設されたストッパーを示す。
【００２７】
支持ボックス５１は、一端５１ａ側の底板部５２に形成される低座高壁部５３と、他端５１ｂ側に形成される門型壁部５４と、これら低座高壁部５３と門型壁部５４とをその左右両側にて連結する高座高壁部５５とで、内部に圧接部４６を除く介在プレート４１側が収容できる囲繞空間５６を確保して形成されている。
【００２８】
また、支持ボックス５１における底板部５２は、一端５１ａ寄りが浅底部５２ａとなり、他端５１ｂ寄りが深底部５２ｂとなった段差が付与されて形成されており、他端５１ｂ寄りの深底部５２ｂ側を介して介在プレート４１の他端４５側を落とし込むことができるようになっている。なお、他端５１ｂ寄りの底板部５２の外表面には、プリント回路基板６１に設けられた円孔５３内に挿入される位置決め用の円柱部５８が突設されている。
【００２９】
さらに、支持ボックス５１における一端５１ａ側の浅底部５２ａには、各高座高壁部５５に沿わせて形成された一側湾曲溝５９が、他端５１ｂ側の深底部５２ｂには、同じく各高座高壁部５５に沿わせて形成された他側湾曲溝６０がそれぞれの開口位置が同高となる位置関係のもとで形成されている。
【００３０】
また、支持ボックス５１における門型壁部５４は、その中央部に介在プレート４１の圧接部４６の可動域空間を確保しつつ、これを突出させるための切欠部５７を有して形成されている。
【００３１】
プリント回路板６１は、絶縁基板の表面等に導電パターンを形成してなるプリント配線板に必要な電子部品類を搭載し、はんだ付けを終えて形成されており、上側ケース部２２と図示しない下側ケースとに挟持されてケース２１側に位置固定される。
【００３２】
しかも、プリント回路板６１には、介在プレート４１の他端４５側が操作プレート１１の他端１４側に位置する押圧片部１６を介して押し込まれた際にその圧接部４６と対向する位置に、該圧接部４６から受ける圧力により電路が閉成されるスイッチ６２が配設されている。
【００３３】
次に、本発明に係るスイッチ構造の組立て手順を以下に説明する。なお、実際の組立ては、上側ケース部２２を裏返した状態としておき、操作プレート１１、介在プレート４１および支持ボックス５１を上方から組み込むことになる。しかし、本明細書での組立て手順は、説明の都合上、図示例の配置関係との関係で説明する。すなわち、まず、上側ケース部２２の窓孔３３を介して下方から操作プレート１１を送り込み、各支軸１５を対応する位置関係にある長寸溝２９内に各別に配置する。
【００３４】
次いで、上側ケース部２２には、圧接部４６が一対の掛止爪３５，３５相互間から突出し、支軸４４が短寸溝２８内に各別に位置するようにして、下方から介在プレート４１を配置する。
【００３５】
しかる後、上側ケース部２２には、その囲繞空間５６を表出させた支持ボックス５１が下方から送り込まれる。この場合、支持ボックス５１は、その門形壁部５４が上側ケース部２２の一対の他端側掛止爪３６，３６と、一側湾曲溝５９が短寸溝２８と、他側湾曲溝６０が長寸溝２９とそれぞれ向き合う位置関係のもとで押し込まれ、一端側掛止爪３５と一対の他端側掛止爪３６，３６とで掛止されることにより、上側ケース部２２側に一体的に取り付けられる。
【００３６】
また、このようにして上側ケース部２２に支持ボックス５１を取り付けた際には、支持ボックス５１の一側湾曲溝５９が上側ケース部２２の短寸溝２８と対面合致して両者間に介在プレート４１の支軸４４を軸支する軸受け３７が、支持ボックス５１の他側湾曲溝６０が上側ケース部２２の長寸溝２９と対面合致して両者間に操作プレート１１の支軸１５が軸支される昇降軸受け３８がそれぞれ形成されることになる。
【００３７】
さらに、上側ケース部２２に取り付けられた支持ボックス５１は、底板部５２の下表面に突設されている円柱部５８をプリント回路板６１の円孔５３の挿入することで、その組み立てを終了する。
【００３８】
つまり、本発明に係るスイッチ構造は、上側ケース部２２の凹陥部２３を介して操作プレート１１が配置され、上側ケース部２２と支持ボックス５１との間に介在プレート４１が配置される結果、プリント回路板６１側への雨滴などの水液や塵埃の入り込みを効果的に阻止することができるので、屋外での現場作業に好適に用いることができる。
【００３９】
また、本発明に係るスイッチ構造は、引張コイルスプリングなどを組み込むことなく、その構成部材の点数を少なくして形成することができるので、製品コストをそれだけ低く抑えることができる。
【００４０】
さらに、本発明に係るスイッチ構造は、操作プレート１１に設けた押圧片部１６におけるカール部１７と、介在プレート４１が備える前傾可撓腕部４８が生成する反発力との間の相対的な力関係のもとでプリント回路板６１が備えるスイッチ５２を簡単にオン・オフすることができるので、組み立てた後の調整作業を不要にして作業性の向上を図ることができることになる。
【００４１】
次に、このようにして組み立てられた上記スイッチ構造の作用・効果を図１なし図５を参酌しながら説明する。
【００４２】
図２および図３に示す配置関係のもとで開成されている電路を閉成するためには、まず、操作プレート１１の一端１２側に位置するは開放端１３を摘んで押し上げたり、他端１４側に手指を押し付けてこれを押し込むことにより、上側ケース部２２の段部２６と前傾斜面部２７との境界縁を図４に示すように支点３９としつつ、昇降軸受け３８に軸支されている支軸１５を介して操作プレート１１の押圧片部１６側が下方に強制的に押し込まれる。
【００４３】
上側ケース部２２側と支持ボックス５１側との間に形成される昇降軸受け３８は、支軸１５を押し込み方向に案内しながら操作プレート１１を支点３９を介してシーソー状にその他端１４側を倒伏させるように押し込むことができるる。このため、操作プレート１１が備える押圧片部１６は、まもなく介在プレート４１におけるプレート本体部４２の他端４５側と当接するに至る。
【００４４】
介在プレート４１は、その当接部４９が支持ボックス５１の底板部５２における深底部５２ｂに支持された一対の前傾可撓腕部４８，４８により生成される反発力を有しているものの、該反発力を上回る押圧力が付与されることにより、その反発力に抗して操作プレート１１の押圧力に従動するようにプレート本体部４２の他端４５側がさらに押し込まれ、図４に示すように圧接部４６がプリント回路板６１のスイッチ６２を押し付けることで、電路が閉成されたスイッチオン状態となり、必要な測定作業に入ることができることになる。
【００４５】
また、このようなスイッチオン状態を一定時間持続させたい場合には、操作プレート１１を支軸１５を介して略９０度以上の開方向に強制的に回動させる。
【００４６】
操作プレート１１は、このように強制的に回動させられると、その押圧片部におけるカール部１７が介在プレート４１のプレート本体部４２を押し付けながら回転移動し、図５に示すようにその圧接部４６がプリント回路板６１のスイッチ６２を押し付けることで、電路が閉成されたスイッチオン状態を安定的に持続させることができる。
【００４７】
しかも、上側ケース部２２には、操作プレート１１を略９０度以上の開方向に回動させて持続的なスイッチオン状態とした際に、介在プレート４１を目視確認することができる円孔３２が形成されているので、例えば介在プレート４１のみを他と異なる色にしておくことでスイッチオン状態をより容易に確認することができる。
【００４８】
かくして、図４に示す状態のもとで必要な測定作業を終えた後は、操作プレート１１側から手指を引き離してその押圧付勢力を解消させることにより、介在プレート４１が備える一対の前傾可撓腕部４８の反発力によりプレート本体部４２側が水平方向に自動復帰し、その際に圧接部４６もプリント回路板６１のスイッチ６２から自動的に離れるので、電路が開成されたスイッチオフ状態とすることができる。
【００４９】
また、図５に示す状態のもとで必要な測定作業を終えた後は、略９０度以上の開方向に強制的に回動させてある操作プレート１１を支軸１５を介して元の位置にまで回動復帰させることで、介在プレート４１が備える一対の前傾可撓腕部４８の反発力によりプレート本体部４２側が水平方向に自動復帰し、その際に圧接部４６もプリント回路板６１のスイッチ６２から自動的に離れるので、電路が開成されたスイッチオフ状態とすることができる。
【図面の簡単な説明】
【００５０】
【図１】本発明の一例をその一部を省略して示す分解斜視図。
【図２】組立て後の一部を切り開いた側面構造を示す説明図。
【図３】組立て後の部分的な縦断面構造を示す説明図。
【図４】図３の状態にある操作プレートを押し込んでスイッチオン状態とした際の説明図。
【図５】操作プレートを略９０度以上開方向に回動させた際にスイッチオン状態が維持される状態を示す説明図。
【図６】スイッチ構造の従来例を示す説明図。
【符号の説明】
【００５１】
１１  操作プレート
１２  一端
１３  開放端
１４  他端
１５  支軸
１６  押圧片部
１７  カール部
１８  側壁部
２１  ケース
２２  上側ケース
２２ａ  一端
２２ｂ  他端
２３  凹陥部
２４  側壁部
２５  底壁部
２６  段部
２７  前傾斜面部
２８  短寸溝
２９  長寸溝
３２  円孔
３３  窓孔
３５  一端側掛止爪
３６  他端側掛止爪
３７  軸受け
３８  昇降軸受け
３９  支点
４１  介在プレート
４２  プレート本体部
４３  一端
４４  支軸
４５  他端
４６  圧接部
４７  ストッパー
４８  前傾可撓腕部
４９  当接部
５１  支持ボックス
５１ａ  一端
５１ｂ  他端
５２  底板部
５２ａ  浅底部
５２ｂ  深底部
５３  低座高壁部
５４  門形壁部
５５  高座高壁部
５６  囲繞区間
５７  切欠部
５８  円柱部
５９  一側湾曲溝
６０  他側湾曲溝
６１  プリント回路板
６２  スイッチ
６３  円孔
【図１】
2010073332.tif 000003
【図２】
2010073332.tif 000004
【図３】
2010073332.tif 000005
【図４】
2010073332.tif 000006
【図５】
2010073332.tif 000007
【図６】
2010073332.tif 000008